(57)【要約】【課題】  特に高温領域でエネルギー効率の観点において顕著に改善された歯科用窯を提供する。【解決手段】  この発明は、歯科用窯（１０）内の燃焼室（１２）に加熱エネルギーを放射するために適した発熱体（１４，１６）を備え、特に１３５０℃ないし１６５０℃の焼結温度を有する二酸化ジルコニウム等の酸化セラミック用の高温歯科用窯からなる歯科用窯に関する。前記発熱体（１４，１６）を電気抵抗発熱体として形成するとともに燃焼室（１２）の下方でそれぞれ少なくとも１本の発熱体支持脚部（１８）によって支承する。前記発熱体（１４，１６）が前記発熱体支持脚部（１８）を起点として上方に突立するように延在するとともに上方でアーチ（４６）、特に半円形アーチあるいは尖形アーチとして終端となり、上部の側方支承を設けない、特にアーチ（４６）の領域に側方支承を設けないよう形成される。【選択図】  図１
2019181212.tif 000002
【特許請求の範囲】
【請求項１】
歯科用窯（１０）内の燃焼室（１２）に加熱エネルギーを放射するために適した発熱体（１４，１６）を備え、前記発熱体（１４，１６）を電気抵抗発熱体として形成するとともに燃焼室（１２）の下方でそれぞれ少なくとも１本の発熱体支持脚部（１８）によって支承してなる、特に１３５０℃ないし１６５０℃の焼結温度を有する二酸化ジルコニウム等の酸化セラミック用の高温歯科用窯からなる歯科用窯であり、前記発熱体（１４，１６）が前記発熱体支持脚部（１８）を起点として上方に突立するように延在するとともに上方でアーチ（４６）、特に半円形アーチあるいは尖形アーチとして終端となり、上部の側方支承を設けない、特にアーチ（４６）の領域に側方支承を設けないことを特徴とする歯科用窯。
【請求項２】
歯科用窯（１０）内の燃焼室（１２）に加熱エネルギーを放射するために適した発熱体を備え、前記発熱体（１４，１６）を抵抗発熱体として形成するとともに燃焼室（１２）の下方でそれぞれ少なくとも１本の発熱体支持脚部（１８）によって支承してなる、特に１３５０℃ないし１６５０℃の焼結温度を有する二酸化ジルコニウム等の酸化セラミック用の高温歯科用窯からなる歯科用窯であり、歯科用窯の稼働中に発熱体支持脚部（１８）が１３５０℃より明確に低温、特に８００℃より低温であるとともに電気接続端子（２４）から数ｃｍ、特に５ｃｍ超上方に向かって延在し、発熱体（１４，１６）が場合によって尖形の逆Ｕ字形に延在することを特徴とする歯科用窯。
【請求項３】
発熱体（１４，１６）が上面図で見て実質的に環状および／または多角形を形成するように燃焼室（１２）の周囲に分配され、特に３ないし８個、好適には４個の発熱体からなることを特徴とする請求項１または２記載の歯科用窯。
【請求項４】
発熱体（１４，１６）とさらに特に発熱体支持脚部（１８）が二ケイ化モリブデンから形成されるかあるいは大部分として含んでなることを特徴とする請求項１ないし３のいずれかに記載の歯科用窯。
【請求項５】
発熱体（１４，１６）が発熱体支持脚部（１８）を起点にして上方に向かって１０ｃｍ未満、特に３ｃｍないし８ｃｍ延在することを特徴とする請求項１ないし４のいずれかに記載の歯科用窯。
【請求項６】
燃焼室（１２）は最大で１２０ｍｍの高さと最大で１００ｍｍの直径、対角線、あるいは側辺長を有し、発熱体（１４，１６）が燃焼室の側方に近接してそれの高さの半分から全高にわたって延在し、好適には約７０ｍｍにわたって延在することを特徴とする請求項１ないし５のいずれかに記載の歯科用窯。
【請求項７】
発熱体（１４，１６）がＵ字の中央屋根部として半円アーチ（４６）を有し、その半円の半径を少なくとも１０ｍｍかつ最大でも５ｃｍで特に発熱体の断面直径の３倍超とすることを特徴とする請求項１ないし６のいずれかに記載の歯科用窯。
【請求項８】
発熱体（１４，１６）の末端とそれに伴って該当する発熱体支持脚部（１８）の末端を垂直方向に高さ違いに形成し、従って発熱体の１つの末端（脚部４２）が別の末端（脚部４４）に比べて高い位置に存在することを特徴とする請求項１ないし７のいずれかに記載の歯科用窯。
【請求項９】
発熱体（１４，１６）が星形に配置されるとともに、発熱体の低い方の末端が半径方向のさらに内側に、また高い方の末端は半径方向のさらに外側に向かって延在することを特徴とする請求項８記載の歯科用窯。
【請求項１０】
発熱体支持脚部（１８）および発熱体（１４，１６）と、さらに特に移行領域（２２）が同じ材料から形成されるとともにそれぞれ異なった断面積を有することを特徴とする請求項１ないし９のいずれかに記載の歯科用窯。
【請求項１１】
発熱体支持脚部（１８）と発熱体（１４，１６）が低温の領域において高温の領域より低い品位のＭｏＳｉ２を有することを特徴とする請求項１ないし１０のいずれかに記載の歯科用窯。
【請求項１２】
発熱体支持脚部（１８）と発熱体が２段階超の直径をもって形成され、その際直径が上方から下方に向かって増加することを特徴とする請求項１ないし１１のいずれかに記載の歯科用窯。
【請求項１３】
歯科用窯（１０）のパワーエレクトロニクスを電気接続端子（２４）に隣接して歯科用窯の脚部に設置することを特徴とする請求項１ないし１２のいずれかに記載の歯科用窯。
【請求項１４】
歯科用窯（１０）が１時間未満のサイクル時間を有することを特徴とする請求項１ないし１３のいずれかに記載の歯科用窯。
【請求項１５】
歯科用窯（１０）がフィード台（燃焼室底床２０）を備え、そのフィード台が歯科補綴材を装填するために燃焼室（１２）を介して下方から上方に、略歯科用窯（１０）の上面の領域まで発熱体（１４，１６）に相対して移動可能であることを特徴とする請求項１ないし１４のいずれかに記載の歯科用窯。
【発明の詳細な説明】
【技術分野】
【０００１】
この発明は、請求項１あるいは２前文に記載の歯科用窯に関する。
【背景技術】
【０００２】
一般的に歯科補綴材は熱処理によって製造される。歯科補綴材の加熱のために燃焼室を備える歯科用窯が適用され、燃焼室内においてしばしば複数の歯科補綴材を同時に焼成することもできる。
【０００３】
歯科補綴材はしばしば二珪酸リチウムあるいは二酸化ジルコニウム等の特殊な歯科用セラミックから形成され、所要の特性を提供するために独特な焼成曲線を必要とする。
【０００４】
その際良好な焼成結果を達成するために、正確な温度プロフィールを維持する窯が必要となる。
【０００５】
そのためそれ程昔でもない時点においても数時間、例えば８時間のサイクル時間が必要であった。
【０００６】
さらに近年は、サイクル時間を著しく短縮することが試みられている。そのためより大きな昇温速度ならびにより大きな冷却速度が適用される。いずれも導入される熱応力のため困難を有する。
【０００７】
より大きな昇温速度を実現するために、燃焼室の容積とそれに従って加熱すべき熱容量を削減することが提案されている。勿論その場合大型の歯科補綴材を使用する際の制約が生じる。
【０００８】
加えて、製造すべき歯科補綴部材が複数である場合、複数を並列に使用するよりも１個の燃焼室を有する焼成窯を使用する方が効率的である。
【０００９】
良好な機械的および美観的補綴品質のため、近年二酸化ジルコニウムが優先的に補綴材の原料として使用される。この原料は１６００℃までの処理温度を必要とする。従ってその種の窯に使用する発熱体は１６００℃までの耐熱性では充分でなく、それより顕著に高い、例えば１８００℃までの耐熱性を要する。
【００１０】
比較的好適な物質として二ケイ化モリブデンが挙げられる。
【００１１】
その種の発熱体による稼働は１６００℃を超える温度で発生する軟化のため厳密に管理される。
【００１２】
そのことは発熱体の組み込みおよび支承の方式にも該当する。
【００１３】
溶融温度より僅かに低い温度における発熱体の使用も可能にするために広範な実験を行った結果、発熱体を支承するかあるいは少なくとも軟化した状態において折れ曲がることが無いように保持することが不可欠であると判明した。
【００１４】
その種の二ケイ化モリブデン発熱体の代表的な製造者によって多様な形状の発熱体が提供されている。例えば懸垂式に取り付けられていて従って引張力のみが生じ屈折力は生じないアーチ形の発熱体が推奨される。他方、側方の支承を採用することもでき、それによって屈折負荷の発生を防止することもできる。
【００１５】
しかしながら、側方の支承だと常に発熱体の機械的負荷が存在するという難点が生じる。支承と発熱体の間に相互動作が生じることを防止することができない。それによって摩擦が生じ、その結果発熱体への機械的影響が生じる。
【００１６】
二ケイ化モリブデンは高温稼働によって劣化する危険がある。酸化層（ＳｉＯ２）が形成されるがそれが剥がれ落ちる危険性が有り、それによって元々の二ケイ化モリブデンが露出される。酸化層は発熱体の寿命のために重要であり、剥がれ落ちた後高温耐久性のあるＳｉＯ２表面を有する新たな層形成を行う必要がある。
【００１７】
この方式は側方の接合によって阻害される。
【００１８】
例えば３ｃｍ程度の極めて短い発熱体を使用することが提案されており、それによって接続部の支承の観点において機械的により安定する。しかしながら、この解決方式によると発熱体の表面積が小さいためその発熱体の表面負荷が過度に高くなることから実用性が低いと判断されている。温度を１５０℃あるいはそれ未満に保持するために接続部を強力に冷却することができる。しかしながら、そのことはエネルギー工学的に極めて不都合であることに加えて、減圧室内においては実現が困難かつ高コストになる。
【発明の概要】
【発明が解決しようとする課題】
【００１９】
従って本発明の目的は、特に高温領域でエネルギー効率の観点において顕著に改善された歯科用窯を提供することである。
【課題を解決するための手段】
【００２０】
前記の課題は本発明に従って請求項１によって解決される。従属請求項において好適な追加構成が定義される。
【００２１】
本発明によれば、製造者の推奨とは異なって発熱体を直立型の要素として実現し、その際発熱体支持脚部によって支承する。前記発熱体支持脚部は高い温度勾配を有するように稼働することができ、従って接続部は低い温度に保持して支持脚部の上端は発熱体と同等の高い温度を有する。
【００２２】
発熱体は電気抵抗発熱体として形成され、燃焼室の下方にそれぞれ発熱体支持脚部を使用して支承される。
【００２３】
発熱体自体は懸垂式の発熱体で知られているようにアーチ形に形成することができる。それらは側方の支承が不要である。
【００２４】
本発明に係る解決方式によれば、接続部の冷却とそれに伴ったエネルギー損失を完全に回避することができる。さらに上方の接続部の問題点も解消することができる。従来は、例えば１００アンペアあるいは数百アンペアの電流の通電に適する導線を懸垂式の発熱体の上方の接続部まで延在させる必要があった。操作盤が下方にあることが好適であることと熱学的な理由もあり；またパワーエレクトロニクスを上部に配置すると燃焼室から発生する熱のために追加的冷却が必要になるとともに窯の頭が重くなって技術的に不都合になるため、歯科用窯の電子制御機構と緊密に結合されたパワーエレクトロニクスは窯の基台部に配置する必要があり、そのため導線断面積を大きくしても相当に長くなる導線によって大きな損失が生じる。
【００２５】
本発明によれば、側方の支承を伴わずに発熱体を形成する。それによって発熱体を保護する酸化層に追加的に機械的な負荷がかかることが無くまた破損することも無いことが保証される。
【００２６】
発熱体アーチを比較的短くすることができ、それが機械的な安定性を向上させる。本発明に係る独特な発熱体支持脚部の観点において、複数の発熱体を任意の適宜な方式で燃焼室の周りに配置することができる。それにより各発熱体が必要な箇所、すなわち燃焼室の側部に照準を合わせて熱を放射することができるため、従来の解決方式のようにエネルギー工学的に非効率な方式になることはない。
【００２７】
発熱体の上端をアーチ形に形成し例えば楕円形あるいは半円形アーチとすることが好適であるが、上部に溶接部を設けてゴシック窓のような形式の尖形アーチとすることも可能である。この溶接部は僅かではあるものの追加重量につながるが、他方でその箇所における発熱体の強化を提供する。
【００２８】
発熱体ならびに発熱体支持脚部の幾何学的な寸法は、必要に応じて広範に調節することができる。比較的小さな燃焼室を備える小型の歯科用窯において、発熱体支持脚部への接続部からアーチの上端までで見て例えば６０ｍｍの発熱体の高さを想定することができる。その際発熱体支持脚部はいずれも例えば１２０ｍｍの長さを有することができ、従って所要の温度勾配を形成するために比較的大きな高さが提供される。
【００２９】
発熱体は支持脚部内で片持ち支持されて上方に向かって延在する。垂直に対して角度差が存在する場合、発熱体が傾倒することが無いようにその差を５°未満とすることが好適である。
【００３０】
本発明によれば、発熱体が少なくとも２ｍｍの直径を有することが好適である。
【００３１】
本発明の好適な追加構成によれば、発熱体支持脚部が電気ソケットから発熱体までの延長にわたって特に５０℃／ｃｍ超の温度勾配を有する。
【００３２】
本発明の好適な追加構成によれば、発熱体支持脚部が少なくとも接続部の領域で冷却され、特に空気および／または冷却リブを使用して、あるいは特に液体等の他の任意の熱交換媒体によって冷却される。
【００３３】
好適な追加構成によれば、特に発熱体を含めた歯科用窯に減圧を付加し得るようにする。
【００３４】
本発明の好適な追加構成によれば、発熱体が発熱体支持脚部に接続する部分において円錐形状に先細になる移行領域を備え、その移行領域が発熱体の延長の少なくとも１／２０、特に少なくとも１／１０を占めるようにする。
【００３５】
前記の移行領域が他の任意の形状を有することができることが理解される。例えば発熱体を支持脚部の平坦な上端に取り付けることができる。また、支持脚部の傾斜した上端への取り付けも実施可能である。さらに、結合を一体式に実施するか、または溶接によって実施することも可能である。
【００３６】
本発明の別の好適な構成形態によれば、発熱体支持脚部から移行領域を介して発熱体まで断面積が単調減少し、特に厳密に単調減少する。
【００３７】
本発明の好適な構成形態によれば、支持脚部と発熱体が移行領域を含めて同一の原料から形成されるとともに異なった断面積を有する。
【００３８】
本発明に係る解決方式の独特な構成形態において、歯科用窯が上方からフィード可能である。フィード台が垂直に動作可能であって、また窯がさらに垂直の通路を備えていてそれを介してフィード台を下から上およびその逆に動作させることができる。発熱体は前記通路の中間の高さに配置し、また通路が上方で蓋部材によって閉鎖可能である。
【００３９】
その種の窯は特に本発明に係る発熱体支持脚部を有する発熱体と極めて好適に組み合わせることができ、その理由はそのような窯が特に比較的小さな燃焼室に適していてその際様々な理由から電気接続端子を窯脚部に配置する必要があるためである。その種の窯は特に歯科診療所内のチェアサイド窯として有用である。
【００４０】
本発明に係る発熱体は付属する支持脚部と共に燃焼室の周りに環状に延在することができる。その際任意の幾何学な環の構成が考えられ、例えば多角形あるいは非対称型の構成も可能である。
【００４１】
本発明のその他の詳細、特徴ならびに利点は、添付図面を参照しながら以下に記述する実施例の説明によって明らかにされる。
【図面の簡単な説明】
【００４２】
【図１】本発明に係る歯科用窯の実施形態を示した概略説明図である。
【図２】本発明に係る歯科用窯の発熱体と付属する支持脚部を示した側面図であって温度勾配を示すグラフが付記されている。
【図３】本発明に係る支持脚部を備えた発熱体の別の実施形態を示した概略説明図である。
【図４Ａ】本発明に係る歯科用窯の燃焼室の周りの発熱体の配置例を示した概略説明図である。
【図４Ｂ】本発明に係る歯科用窯の燃焼室の周りの発熱体の配置例を示した概略説明図である。
【図４Ｃ】本発明に係る歯科用窯の燃焼室の周りの発熱体の配置例を示した概略説明図である。
【図４Ｄ】本発明に係る歯科用窯の燃焼室の周りの発熱体の配置例を示した概略説明図である。
【図４Ｅ】本発明に係る歯科用窯の燃焼室の周りの発熱体の配置例を示した概略説明図である。
【図４Ｆ】本発明に係る歯科用窯の燃焼室の周りの発熱体の配置例を示した概略説明図である。
【発明を実施するための形態】
【００４３】
図１の実施形態は歯科用窯１０を備える。この窯は燃焼室１２を備えていて、その周りに複数の発熱体が配置される。図１には２個の発熱体１４および１６が図示されている。
【００４４】
発熱体は燃焼室１２の高さの大半にわたって延在する。発熱体は発熱体支持脚部１８上に支承され、その際各発熱体１４が上方に向かって逆Ｕ字型の形式で延在して２体の支持脚部１８上で支承される。
【００４５】
発熱体支持脚部１８は燃焼室底床２０を貫通する。支持脚部は相当大きな高さにわたって延在し、例えば発熱体１４および１６の高さの略２倍の高さにわたって延在する。
【００４６】
発熱体支持脚部１８は発熱体１４および１６を支承するための移行領域２２を備える。その移行領域は支持脚部１８の断面形状を発熱体１４および１６に適合させる機能を提供する。この実施例においては円形の断面が形成されていて、移行領域が円錐形あるいは円錐台形である。
【００４７】
それに代えて任意の他の断面形状を適用し得ることも理解される。
【００４８】
発熱体支持脚部１８はそれの下端に電気接続端子２４を備える。その場所は比較的低温で例えば約２００℃であり、また窯１０の底床２６の領域に冷却風口２８を設けて接続端子２４をさらに冷却する。
【００４９】
燃焼室１２は蓋部材３０によって閉鎖可能である。燃焼室底床２０は垂直に移動可能である。蓋部材３０を持ち上げるかあるいは旋回移動させた後天井開口を介して燃焼室底床２０を上昇させることができ、それによってそこに収容された焼成物、例えば歯科補綴材を取り出して窯に新しいものを装填することができる。
【００５０】
図示された実施例において発熱体１４および１６が燃焼室１２の周囲に配置されている。
【００５１】
発熱体１４および発熱体支持脚部１８の外側に断熱材４０が設けられる。その断熱材は発熱体１４および支持脚部１８を収容する溝を備えることもできる。
【００５２】
発熱体から放出された粒子および／またはガスから燃焼室を保護するために、発熱体１４を周知の耐熱保護材によって被覆することもできる。
【００５３】
図２には、本発明に係る発熱体１４の実施形態が示されている。発熱体１４は２本の側方脚部４２および４４を備え、それがアーチ形屋根部４６を介して相互に結合される。
【００５４】
側方脚部４４が移行領域２２を介して支持脚部１８ａに結合して支承され、側方脚部４２は移行領域２２を介して支持脚部１８ｂに結合される。
【００５５】
アーチ形屋根部４６は側方脚部４２および４４と略同じ長さを有する。また、それに応じて比較的大きな半径を有する。短い電気経路（それに従って小さくなる抵抗）のため、アーチ形屋根部４６の内側が比較的高温になる。
【００５６】
それを補償するために、本発明に係る発熱体の変更された構成形態によればアーチ形屋根部４６に長楕円形の断面を設ける。その構成形態によればアーチ形屋根部４６の外側がいわば延伸されたようになってかつ低温になり、すなわち基本的に内側が外側から浮いたようになる。
【００５７】
楕円形の断面を任意にさらに側方脚部４２および４４の領域まで連続させ得ることが理解される。
【００５８】
アーチ形屋根部４６の外側は内側に比べて高い電気抵抗のため常に、すなわち円形の断面である場合でも、内側に比べて低温になる。
【００５９】
本発明によれば、発熱体１４の最も高温の部分が常により低温の外面によって支承される。従って発熱体を直立式に配置するにもかかわらず最も高温の部分がいわば浮遊したようになる。
【００６０】
アーチ形屋根部４６のアーチ直径は発熱体１４の直径の約６倍となる。移行領域２２は発熱体１４の直径の約３倍に相当する高さを有する。
【００６１】
支持脚部１８ａおよび支持脚部１８ｂの直径も発熱体１４の直径の約３倍になる。支持脚部１８の長さは必要に応じて、すなわち歯科用窯の立体的寸法に従って任意に調節することができる。
【００６２】
いずれにしても下方に電気接続端子２４を設ける。その端子が周知の方式のクランプを備え、それがネジ結合によって支持脚部１８の下方領域を挟んで包囲し、大きな接触面積によってその部分の電流密度が低くなるように作用する。
【００６３】
発熱体と支持脚部の温度が図２の右側に概略的に示されている。発熱体は上部に向かって緩やかに上昇する温度を有し、約１８００℃である。その温度は移行領域２２内において既に顕著に低くなり、支持脚部１８の下端においては電気接続端子との接触が可能になるような値まで低下する。
【００６４】
図３には、本発明に係る発熱体１４のさらに別の変更された構成が示されている。その構成形態によれば支持脚部１８ｂが支持脚部１８ａに比べて著しく長くなり、それに合わせて側方脚部４２が側方脚部４４に比べて著しく短くなる。
【００６５】
この実施形態によればアーチ形屋根部４６と側方脚部４２の組み合わせがいわば側方脚部４４を支承し、従って物理的に直立型の構成であるにもかかわらず仮想的に浮遊させた構成が達成される。
【００６６】
図４Ａ乃至４Ｆには、燃焼室１２に対する発熱体の多様な相対的配置が示されている。しかしながらそれらは単に例示の目的である。
【００６７】
図４Ａには四角形の燃焼室１２が示されており、その周りに発熱体１４および１６が対称形に配置されている。この実施形態において燃焼室１２を円形にするかまたは角を丸めて形成することもできる。
【００６８】
図４Ｂに示された実施形態は４個の発熱体１４および１６を備え、それらが長方形の燃焼室１２の周りに配置される。図４Ｂに示されるように発熱体が斜めに配置されているが、その場合発熱体の長くかつ高温の側方脚部４４を燃焼室１２に近接させまた低温で短い方の側方脚部４２は燃焼室１２から離して配置することが好適である。
【００６９】
図４Ｃには、本発明に係る歯科用窯の別の実施形態が示されている。この解決方式において８個の発熱体１４が円形あるいは八角形の燃焼室１２の周りに八角形に配置される。
【００７０】
図４Ｄの実施形態において、各発熱体１４が上面図で見て湾曲する。この湾曲はアーチ形屋根部４６を適宜に構成することによって実現する。従って燃焼室１２が緊密に包囲され楕円形に延在するものになる。
【００７１】
図４Ｅには菱形の発熱体配置が示されている。この解決方式において燃焼室１２が例えば台形の断面を有するか、あるいは楕円形とすることができる。
【００７２】
図４Ｆの実施形態は図３の非対称形の発熱体の適用に有効である。この場合発熱体配置が例えば４個の発熱体からなる星型になる。この場合も長い方の側方脚部４４が燃焼室１２の方を向いていて短い方の側方脚部４２は燃焼室１２と逆向きになる。
【符号の説明】
【００７３】
１０  歯科用窯
１２  燃焼室
１４，１６  発熱体
１８，１８ａ，１８ｂ  発熱体支持脚部
２０  燃焼室底床
２２  移行領域
２４  電気接続端子
２６  底床
２８  冷却風口
３０  蓋部材
４０  断熱材
４２，４４  側方脚部
４６  アーチ形屋根部
【図１】
2019181212.tif 000003
【図２】
2019181212.tif 000004
【図３】
2019181212.tif 000005
【図４Ａ】
2019181212.tif 000006
【図４Ｂ】
2019181212.tif 000007
【図４Ｃ】
2019181212.tif 000008
【図４Ｄ】
2019181212.tif 000009
【図４Ｅ】
2019181212.tif 000010
【図４Ｆ】
2019181212.tif 000011